(57)【要約】      （修正有）【課題】特定の衛星放送チャンネルの受信を拒否するフィルタ装置を提供する。【解決手段】入力端子と出力端子とを結ぶ信号線路に複数のＬＣ並列回路が直列に接続され、信号線路と接地線路との間に複数のＬＣ直列回路が並列に接続された回路を備える。受像を不可能にしたい衛星放送のチャンネルの中心周波数の信号を２０ｄＢ以上減衰させ、受像を不可能にしたい衛星放送のチャンネルの全周波数帯域の信号を１５ｄＢ以上減衰させ、受像したい全てのチャンネルの全周波数帯域の信号の減衰を１５ｄＢ以下にする周波数特性を持つように各ＬＣ回路のインダクタンス値とコンデンサ容量とを設定する。【選択図】図２
0003191133.tif 000002
【実用新案登録請求の範囲】
【請求項１】
衛星放送の特定の周波数の信号を減衰させるフィルタ装置であって、受像を不可能にしたいチャンネルの中心周波数を２０ｄＢ以上減衰させる性質と、受像を不可能にしたいチャンネルの全周波数帯域を１５ｄＢ以上減衰させる性質と、受像したい全てのチャンネルの全周波数帯域の減衰を１５ｄＢ以下にする性質とを備える、ことを特徴とするフィルタ装置。
【請求項２】
放送受信用アンテナと一体になるように取り付けられた請求項１に記載のフィルタ装置。
【考案の詳細な説明】
【技術分野】
【０００１】  本考案は、衛星放送受信用アンテナに取り付けるフィルタに関する。
【背景技術】
【０００２】  アンテナに取り付けて特定帯域の周波数の信号を取り除くフィルタは、主に複数の電波塔からの信号の混信を防ぐ目的で広く使われているが、本発明は特定の放送局からの放送の受信を意図的に拒否することを目的とするフィルタに関する。【０００３】  ある放送局の放送が受像可能な設備を備えただけでその放送局と契約しなければならないと法令で定められている場合、その放送局からの電波のみをフィルタリングして受像不可能とすることで、その放送局との契約をする義務が法的に生じなくなる。衛星放送において、この目的を達成するものとして、高周波ノッチフィルタがある。【０００４】  特許文献１（特開２００７−２６７３４４）には、高周波において、隣接チャンネル信号を過度に減衰させることなく、希望チャンネルの信号は問題なく減衰できる有極型帯域阻止フィルタが開示されている。
【先行技術文献】
【特許文献】
【０００５】
【特許文献１】特開２００７−２６７３４４公報
【考案の概要】
【考案が解決しようとする課題】
【０００６】  上記特許文献の例では、特定の周波数を大きく減衰させるノッチフィルタとしての性能は高いものの、価格が高価になるという問題があった。
【考案が解決しようとする課題】
【０００７】  本考案は、衛星放送の特定の放送局からの放送を受像できなくするという目的を安価に実現することを可能にする。
【課題を解決するための手段】
【０００８】  本考案のフィルタ装置は、衛星放送の特定の周波数の信号を減衰させるフィルタ装置であって、受像を不可能にしたいチャンネルの中心周波数を２０ｄＢ以上減衰させる性質と、受像を不可能にしたいチャンネルの全周波数帯域を１５ｄＢ以上減衰させる性質と、受像したい全てのチャンネルの全周波数帯域の減衰を１５ｄＢ以下にする性質とを備えるものである。
【考案の効果】
【０００９】  本考案は高周波領域のフィルタで急峻な立ち下がりと立ち上がりを必要としないため、特定の放送局からの放送を受像できなくするという目的を安価に達成することが可能となる。
【図面の簡単な説明】
【００１０】
【図１】従来のノッチフィルタの周波数特性を示す図である。
【図２】本考案のフィルタの周波数特性を示す図である。
【図３】本考案のフィルタの周波数特性を実現する回路例を示す図である。
【図４】本考案の第１の実施形態を示す図である。
【図５】本考案の第２の実施形態を示す図である。
【考案を実施するための形態】
【００１１】  図１は従来のノッチフィルタの周波数特性の例である。図１のフィルタはＢＳ―１５チャンネルの放送を拒否することを目的とした周波数特性をもつ。一方、本考案のフィルタの周波数特性の例を図２に示す。図２のフィルタはＢＳ―１３チャンネル以下の放送とＢＳ―１９チャンネル以上の放送の受像を可能にしながら、ＢＳ−１５チャンネルの受像を拒否することを可能にする周波数特性を持つ。ＢＳ−１５チャンネルの中心周波数である１３１８Ｍｚの信号を２０ｄＢ以上、ＢＳ−１５チャンネルの周波数帯域である１３０４．５０Ｍｚ以上１３３１．５０ＭＨｚ以下の信号を全て１５ｄＢ以上減衰させ、ＢＳ−１３チャンネルの周波数帯域の上限である１２９３．１４ＭＨｚ以下の信号の減衰と、ＢＳ−１９チャンネルの周波数帯域の下限である１３８１．２２ＭＨｚ以上の信号の減衰を１５ｄＢ以下に抑えている。図２の周波数特性を実現する回路の例を図３に示す。図３の回路であれば、安価に図２に示す周波数特性を実現できる。その結果、所望のチャンネルのみを受信不可能にするという目的が低コストで達成される。
【実施例１】
【００１２】  図４に本考案の第１の実施形態を示す。図４のように、本考案のフィルタ回路を密封し、その両端に同軸ケーブルに接続できるＢＮＣ型の端子をつける。これにより、アンテナとテレビの間をつなぐ同軸ケーブルの中継箇所にこのフィルタを接続し、所望のチャンネルのみ受信不可能な状態を作り出すことができる。
【実施例２】
【００１３】  図５に本考案の第２の実施形態を示す。図５のように、本考案のフィルタ回路を衛星放送受信用のパラボラアンテナと一体化させることにより、アンテナを買い換えない限り、所望のチャンネルが受信不可能な状態を作り出すことができる。
【産業上の利用可能性】
【００１４】  ある放送局の放送が受像可能な設備を備えただけでその放送局と契約しなければならないと法令で定められている場合、本考案のフィルタを用いれば、その放送局との契約をする義務が法的に生じなくなり、実際には視聴していないのに受信料を支払わなければならない状態が解消される。よって、本考案のフィルタは、視聴しないチャンネルの受信料を支払いたくない人に対するアンテナ設備を構成するものとして利用可能である。
【符号の説明】
【００１５】１  フィルタ本体
２  ＢＮＣジャック
３  ＢＮＣプラグ
４  パラボラアンテナ
５  フィルタ入りアンテナ回路
【図１】
0003191133.tif 000003
【図２】
0003191133.tif 000004
【図３】
0003191133.tif 000005
【図４】
0003191133.tif 000006
【図５】
0003191133.tif 000007
【手続補正書】
【提出日】平成25年12月13日(2013.12.13)
【手続補正１】
【補正対象書類名】実用新案登録請求の範囲
【補正対象項目名】請求項１
【補正方法】変更
【補正の内容】
【請求項１】
衛星放送の特定の周波数の信号を減衰させるフィルタ装置であって、受像を不可能にしたいチャンネルの中心周波数を２０ｄＢ以上減衰させる性質と、受像を不可能にしたいチャンネルの全周波数帯域を１５ｄＢ以上減衰させる性質と、受像したい全てのチャンネルの全周波数帯域の減衰を１５ｄＢ以下にする性質とを備える周波数特性を持つよう、並列ＬＣ共振回路を直列に複数配し、直列ＬＣ共振回路を並列に複数配する、ことを特徴とすることを特徴とするフィルタ装置。
【手続補正２】
【補正対象書類名】明細書
【補正対象項目名】０００８
【補正方法】変更
【補正の内容】
【０００８】  本考案のフィルタ装置は、衛星放送の特定の周波数の信号を減衰させるフィルタ装置であって、受像を不可能にしたいチャンネルの中心周波数を２０ｄＢ以上減衰させる性質と、受像を不可能にしたいチャンネルの全周波数帯域を１５ｄＢ以上減衰させる性質と、受像したい全てのチャンネルの全周波数帯域の減衰を１５ｄＢ以下にする性質とを備える周波数特性を持つよう、並列ＬＣ共振回路を直列に複数配し、直列ＬＣ共振回路を並列に複数配するものである。
【手続補正書】
【提出日】平成26年2月27日(2014.2.27)
【手続補正１】
【補正対象書類名】実用新案登録請求の範囲
【補正対象項目名】請求項１
【補正方法】変更
【補正の内容】
【請求項１】
入力端子と出力端子とを結ぶ信号線路に複数のＬＣ並列回路が直列に接続され、前記信号線路と接地線路との間に複数のＬＣ直列回路が並列に接続された回路を備え、受像を不可能にしたい衛星放送のチャンネルの中心周波数の信号を２０ｄＢ以上減衰させ、受像を不可能にしたい衛星放送のチャンネルの全周波数帯域の信号を１５ｄＢ以上減衰させ、受像したい全てのチャンネルの全周波数帯域の信号の減衰を１５ｄＢ以下にする周波数特性を持つように前記の各ＬＣ回路のインダクタンス値とコンデンサ容量とを設定したことを特徴とするフィルタ装置。
【手続補正２】
【補正対象書類名】明細書
【補正対象項目名】０００８
【補正方法】変更
【補正の内容】
【０００８】  本考案のフィルタ装置は、入力端子と出力端子とを結ぶ信号線路に複数のＬＣ並列回路が直列に接続され、前記信号線路と接地線路との間に複数のＬＣ直列回路が並列に接続された回路を備え、受像を不可能にしたい衛星放送のチャンネルの中心周波数の信号を２０ｄＢ以上減衰させ、受像を不可能にしたい衛星放送のチャンネルの全周波数帯域の信号を１５ｄＢ以上減衰させ、受像したい全てのチャンネルの全周波数帯域の信号の減衰を１５ｄＢ以下にする周波数特性を持つように前記の各ＬＣ回路のインダクタンス値とコンデンサ容量とを設定したものである。